(57)【要約】  本発明は、ガス状流体の除去方法であって、（ａ）コロナ放電を生成するように配置された第１の電極と、複数の導電性糸で作製されたヘイズ透過性の電気伝導性篩を備える第２の電極との間に、電場を印加するステップと、（ｂ）液体を霧化して、第１の電極と第２の電極との間に液体ヘイズを提供するステップであって、液体がガス状流体の溶媒である、ステップと、（ｃ）第１の電極に対して、第２の電極の背後に基質を配置するステップとを含む方法を提供する。
2012533425.tif 000002
【特許請求の範囲】
【請求項１】
ガス状流体を除去する方法であって、
ａ．コロナ放電を生成するように配置された、正電極である第１の電極と、複数の導電性糸で作製されたヘイズ透過性の電気伝導性篩を備える第２の電極との間に電場を印加するステップと、
ｂ．液体を霧化して、前記第１の電極と前記第２の電極との間に液体ヘイズを提供するステップであって、前記液体が前記ガス状流体の溶媒であるステップと、
ｃ．前記第１の電極に対して、前記第２の電極の背後に基質を配置するステップと
を含む方法。
【請求項２】
ガス状流体がアンモニア（ＮＨ３）であり、液体が水である、請求項１に記載の方法。
【請求項３】
基質が布である、請求項１又は２に記載の方法。
【請求項４】
基質が、補助湿潤器により少なくとも一時的に液体で湿潤される、請求項１〜３のいずれかに記載の方法。
【請求項５】
基質に形成された液体を回収するステップと、前記回収された液体を除去するステップとをさらに含む、請求項１〜４のいずれかに記載の方法。
【請求項６】
ガス状流体を除去するための配置であって、
ａ．コロナ放電を生成するように配置された、正電極となるように構成された第１の電極、及び複数の導電性糸で作製されたヘイズ透過性の電気伝導性篩を備える第２の電極と、
ｂ．液体を霧化して、前記第１の電極と前記第２の電極との間に液体ヘイズを提供するように配置された液体霧化器と、
ｃ．前記第１の電極に対して、前記第２の電極の背後に配置された基質と
を備える配置。
【請求項７】
基質を湿潤させるように配置された補助湿潤器をさらに備える、請求項６に記載の配置。
【請求項８】
ガス状流体をユニットに進入させるように配置された入口と、ガス及び液体の１又は２以上を前記ユニットから逃がすように配置された出口とを有する前記ユニット内に含まれる、請求項６又は７に記載の配置。
【請求項９】
ガス状流体をユニットに吹き込むように配置された送風器の１又は２以上と、ガス状流体を前記ユニット内に送り込むように配置されたポンプとをさらに備える、請求項８に記載の配置。
【請求項１０】
第１の電極が、複数の導電性針を備える、請求項８又は９に記載の配置。
【請求項１１】
複数の導電性針が、第２の電極の方向に向くように配置された、請求項１０に記載の配置。
【請求項１２】
ヘイズ透過性の電気伝導性篩が、導電性細目金網である、請求項６〜１１のいずれかに記載の配置。
【請求項１３】
請求項６〜１２のいずれかに記載の配置を備える、動物収容設備。
【請求項１４】
納屋、家畜小屋、豚小屋、囲い、及び養鶏場からなる群から選択される、請求項１３に記載の収容設備。
【発明の詳細な説明】
【技術分野】
【０００１】
本発明は、ガス状流体、特にＮＨ３の除去方法、及び該除去ための配置に関する。
【背景技術】
【０００２】
牧畜と家畜排泄物の発生は相伴うものである。固形、液状及びガス状の排泄物の生成は、ますます問題となっている。当技術分野においては、いくつかの解決策が提案されている。
【０００３】
例えば、米国特許第２００２０２０６７７号明細書には、固形及び液状家畜排泄物を処理する一方、処理プロセス中に生成される廃熱エネルギーを回収するための、統合された家畜排泄物処理システムが記載されている。好ましい実施形態は、様々な量の多種多様な家畜排泄物をバッチ式で処理するために、１つの排泄物処理サイトから別の処理サイトに移動することができる可搬式化学処理プロセスを含む。好ましい実施形態は、有害な固形物、液体及びガスの破壊を実現する。さらに、このプロセスは、商用グレード肥料の製造で使用するために、窒素及びアンモニア等の家畜排泄物の貴重な副生成物を単離及び回収する手段を含む。好ましい実施形態はまた、排泄物処理プロセス自体の内部で使用するために、又は家畜排泄物を生成する飼育場用の熱源として使用するために、廃熱を捕捉する手段を含む。特定農地内での必要に応じて、同じ基本的プロセスであるが、より永久的な特徴を追加したプロセスを、永久的装備としてバッチ式又は連続式で設置及び運用することができる。
【０００４】
米国特許第６８６３８２６号明細書には、豚、鶏、七面鳥及び牛からの糞便物質等の家畜排泄物を、肥料、他の種類の土壌改質剤、さらには栄養飼料添加物等の有用な形態に変換することが記載されている。経済的な変換を可能とし、また多くの場合において、硫化物及びアンモニア等の望ましくないガスの生成及び放出を軽減するデバイス、システム及び方法が提供される。一実施形態において、望ましくない嫌気性及び通性嫌気性細菌が、望ましい土壌適合性好気性細菌より高い割合で滅菌される。低温滅菌の使用は、他の技術に一般に関連するガス化を低下させ、ゼオライト等のガス捕捉添加剤の使用は、土壌への窒素の徐放及び水分の徐放等の土壌改質品質の向上を提供する。この方法により、便利な組成調節が可能となり、排泄物を特定の土壌に好適な特別調合肥料に変換することが可能となる。他の実施形態は、他の土壌改質品質及び水産養殖等の畜産業において使用される飼料の栄養品質を提供する。
【０００５】
米国特許第４２１８２３３号明細書には、鶏糞１トン当たり少なくとも１０ポンドの牛糞肥料を添加するステップを含む、鶏舎内の悪臭を低減するための方法が記載されている。この方法は、鶏舎内の悪臭、特にアンモニア臭を実質的に低減し、それにより鶏及び養鶏業者にとってより健全な環境を提供するとされている。環境へのアンモニア損失が低減されるため、鶏糞中に窒素が保持され、より高い窒素含量の生成物が提供される。
【０００６】
米国特許第２００４１２０８４５号明細書には、換気下において、及び暖房又は空調システム内で空中病原体を中和するための方法及び配置（arrangement）が記載されている。病原体中和システムは、広範囲の病原体に対して効果的であり、市販の成分を組み込み、また商用ＨＶＡＣシステム内に容易に統合されて、いかなる化学試薬も使用せずに、リアルタイムで大容積の換気下で空中病原体を中和することが想定されている。典型的には、このシステムは、広域紫外光の短い強力な閃光を放出する紫外光源、水蒸気源又は噴霧器、及びオゾン発生器を含有する流通式反応チャンバを有する。このシステムは、水滴又は水蒸気の存在下でオゾンガスに紫外光を照射することにより、高反応性オゾン中間体を生成することが想定されている。米国特許第２００４１２０８４５号明細書によれば、このシステムにより中和され得る病原体は、細菌、ウイルス、胞子、真菌及び寄生生物を含む。
【先行技術文献】
【特許文献】
【０００７】
【特許文献１】米国特許第２００２０２０６７７号明細書
【特許文献２】米国特許第６８６３８２６号明細書
【特許文献３】米国特許第４２１８２３３号明細書
【特許文献４】米国特許第２００４１２０８４５号明細書
【発明の概要】
【発明が解決しようとする課題】
【０００８】
アンモニア（ＮＨ３）又はその他の望ましくないガスの除去は、従来技術において容易に解決されないようである。家畜排泄物に関連して、主に液状及び固形家畜排泄物の除去又は低減を目指した複雑なシステムが提案されている。
【０００９】
しかしながら、例えば、ＮＨ３（ガス）又はその他の望ましくないガスは、健康に有害となり得る、及び／又は温室効果に寄与し得る、及び／又は不快であると考えられるため、それらのガスの排出を低減する必要性がある。排出の低減が望まれ得るガスの例は、例えば、アンモニア（ＮＨ３）、アセトン（Ｃ３Ｈ６Ｏ）、酸化二窒素（Ｎ２Ｏ）、硫化水素（Ｈ２Ｓ）、エチレン（Ｃ２Ｈ４）、蛍石（fluor）（Ｆ２）又は塩素（Ｃｌ２）である。
【００１０】
したがって、本発明の一態様は、ガス状流体を除去するための代替法及び該除去するための配置を提供することであり、さらに少なくとも部分的に上記欠点の１又は２以上を取り除くことが好ましく、また比較的容易に使用可能であることが好ましい。
【課題を解決するための手段】
【００１１】
本発明の一態様は、ガス状流体を除去する方法であって、
ａ．コロナ放電を生成するように配置された第１の電極と、複数の導電性糸で作製されたヘイズ（haze）透過性の電気伝導性篩（「導電性篩」又は「ヘイズ透過性の導電性篩」とも呼ばれる）を備える第２の電極との間に、電場を印加するステップと、
ｂ．液体を霧化して、第１の電極と第２の電極との間に液体ヘイズを提供するステップであって、液体がガス状流体の溶媒である、ステップと、
ｃ．第１の電極に対して、第２の電極の背後に基質を配置するステップと
を含む方法を提供することである。
【００１２】
本発明は、望ましくないガス状流体（複数種可）が、ヘイズ中の液体粒子に少なくとも部分的に溶解され得るという原理、及び電極（複数可）が一種の「電気風」を形成し、ヘイズ液滴を帯電させ、このヘイズ液滴が電源（第１の電極）と対極（第２の電極）との間の電場に起因して「電気風」により方向付けられることを使用する。液滴は、ヘイズ透過性であり、基質の方向にヘイズの少なくとも一部を透過させる第２の電極の方向に誘導され、基質に液滴が堆積し得る。基質では、ヘイズの液体中に溶解した望ましくないガス状流体の回収が行われ得る。
【００１３】
例えば、水に溶解したアンモニアを基質で回収することができ、原則的に再利用することができる。したがって、一実施形態において、ガス状流体はアンモニア（ＮＨ３）であり、液体は水である。比較的容易な手法で、望ましくないガス状流体を除去することができる。この方法は、納屋、家畜小屋、豚小屋、囲い、又は養鶏場等の既存の収容設備内で適用することができる。「収容設備」という用語は、１又は２以上の動物、特に、例えば豚、牛、馬、山羊、鳩、鳥小屋の鳥、熱帯の鳥、鵞鳥、酪農用の家畜又は毛皮用の家畜等の複数の動物を養育するための任意の檻、家畜小屋、納屋、豚小屋、囲い及び飼育場に関連し得る。この方法は、そのような建物内で適用することができ、又は、建物の空気が本発明による処理のために誘導されるユニット（ある配置を備える、以下参照）が提供されてもよい。「除去のための方法」という語句は、部分的除去を含み、必ずしも完全な除去を示すとは限らない。しかしながら、例えば、ユニットは、例えば研究所、工場、ホスピタリティエリア等からの望ましくないガスを減少させるためにも使用され得る。
【００１４】
したがって、本発明の効果を提供するために、２つの電極が配置され、電場が印加され、２つの電極間に液体ヘイズが提供され、望ましくないガス状流体を排除する液滴が、負に帯電した、又は接地された電極に移動し得る。特に、そのような電極が空気を透過する、さらには液体ヘイズ液滴の実質的部分を透過する場合、そのようなヘイズは、透過性電極を「通過」して移動することができ、（第２の）電極の下流側に配置された基質で、少なくとも部分的に回収され得る。電場は、帯電した針先若しくは線形配置構造、及び／又は第１の電極のワイヤにより特に強化され、これらは、電気風の発生に有用と考えられるコロナ放電を生成し得る。
【００１５】
電極は、ガス状流体を含むガスを含有する、又は含有することができる空間内に配置される。例えば、電極は、納屋又は別の収容設備内に配置され得る。好ましくは、電極は、電極間の電場が空間の実質的部分をブリッジするように、互いに離間して配置される。上述のように、電極はまた、ガス状流体を受容するように配置された（別個の）ユニット内に配置されてもよい。
【００１６】
電場は、特に約０．１〜１００ｋＶ／ｍの範囲内である。特定の実施形態において、電場は、約０．５〜１００ｋＶ／ｍの範囲内、なかでも特に約２〜１００ｋＶ／ｍの範囲内、なかでも特に約４〜１００ｋＶ／ｍの範囲内である。特に、電場は、約５０ｋＶ／ｍ未満、なかでも特に２０ｋＶ／ｍ未満であってもよい。電場は、特にコロナ放電を生成するように配置された、正電極である第１の電極と、特に接地された電極である第２の電極との間に印加される。
【００１７】
好ましくは、第１の電極は、複数の導電性針（本明細書においては「針」とも呼ばれる）を備えてもよい。複数の針は導電性針であり、したがって電極であるため、複数の針を備えるそのような第１の電極は、複数の電極を備える第１の電極とも呼ぶこともできる。特に、方法は、複数の導電性針を第２の電極の方向に向くように配置するステップをさらに含んでもよい。したがって、一実施形態において、複数の導電性針は、第２の電極の方向に向くように配置される。
【００１８】
好ましくは、第２の電極は、好ましくは複数の導電性糸で作製されたヘイズ透過性の電気伝導性篩の、ヘイズ透過性の電気伝導性篩（「導電性篩」又は「ヘイズ透過性の導電性篩」とも呼ばれる）を備える。一実施形態において、第２の電極は、隣接する導電性糸との最短距離が０．０１〜１０００ｍｍの範囲、例えば０．０１〜５００ｍｍ、例えば０．１〜１０００ｍｍ、例えば０．１〜５００ｍｍ、特に少なくとも１ｍｍ、例えば１〜５００ｍｍ、なかでも特に１〜１００ｍｍ、例えば５〜１００ｍｍ、例えば少なくとも１０ｍｍである、複数の導電性糸で作製されたヘイズ透過性の電気伝導性篩を備えてもよい。特定の実施形態において、第２の電極は、好ましくは互いに実質的に平行に配置された複数の導電性ワイヤ、特に導電性細目金網（すなわち導電性網）を備える。
【００１９】
「ガス状流体に電場を印加する」という語句は、ガス状流体が存在する空間内、例えば室内又は納屋内等に電場が印加されることを示し得る。
【００２０】
「コロナ放電」という用語は、当技術分野において知られている。コロナは、電極周囲にプラズマを形成するように中性流体、通常は空気をイオン化することにより、電流、おそらくは持続電流がその流体中で高電位電極から発生するプロセスである。生成されたイオンは、最終的に、より低い電位の隣接領域に電荷を受け渡すか、又は再結合して中性ガス分子を形成する。電位勾配が流体内のある点で十分大きい場合、その点における流体がイオン化し、導電性となる。帯電した物体が鋭い点を有する場合、その点の周囲の空気は、他の部分よりもはるかに高い勾配を有する。電極付近の空気（又は別のガス）はイオン化され得る（部分的に導電性となり得る）が、より離れた領域はイオン化されない。その点付近の空気が導電性となると、導体の見かけのサイズを増加させる効果が生じる。新たな導電性領域はあまり鋭くない（又はあまり湾曲していない）ため、イオン化は、この局所領域を超えて拡大することができない。このイオン化及び導電性領域の外では、荷電粒子は、徐々に反対電荷を有する物体にたどり着いて中和される。イオン化領域がある特定の半径で終了せずに成長し続けるような構造及び勾配の場合、完全に導電性の経路が形成され、瞬間的なスパーク又は連続低なアークが生成し得る。コロナ放電は、通常、２つの非対称電極を必要とし、一方は極めて湾曲し（例えば、針の先端又は小径ワイヤ等）、一方は曲率が小さい（例えば、平板又は接地又は本明細書において指定される網等）。曲率が大きいと、一方の電極周囲におけるプラズマ生成のための高い電位勾配が確実となる。
【００２１】
導体上の電荷は、その外部表面全体に存在し（ファラデーケージを参照）、平坦表面上よりも鋭い点及び端部の周囲により集中する傾向がある。これは、湾曲した導電ポイント上の電荷により生成される電場が、広大で滑らかな球状導電性シェル上に存在する同じ電荷により生成される電場よりもはるかに強いことを意味する。この電場の強さが、コロナ放電開始電圧（corona discharge inception voltage、ＣＩＶ）勾配として知られている勾配を超える場合、電場は先端周囲の空気をイオン化し、暗闇の中、導電性の先端上に僅かに紫色の小さなプラズマジェットが観察され得る。隣接空気分子のイオン化は、帯電した先端の極性と同じ極性を有するイオン化空気分子の生成をもたらす。続いて、先端は、同様の電荷のイオン雲を押し出し、イオン雲は、イオン同士の反発により即座に膨張する。このイオンの反発は、先端から放射する「電気風」を形成する。
【００２２】
「ヘイズ透過性」という用語は、特に、ヘイズが「篩」を通過し得ることを示し、特に、第２の電極に到達する液滴ヘイズ液滴の総数の少なくとも一部が、導電性糸の間の開口又はメッシュを貫通し得ることを示す。このように、ヘイズは、第１の電極から第２の電極への方向に方向付けられ、第２の電極を「通過」し、第２の電極の下流側に配置された基質で回収され得る。「第１の電極に対して、第２の電極の背後に」という語句、及びそれと同様の語句は、基質が第２の電極の下流側に配置されることを示す。
【００２３】
「上流側」及び「下流側」という用語は、第１の電極からの電気風の伝播又は流動に対する物体又は特徴の配置に関連し、流動内の第１の位置に対して、第１の電極により近い流動内の第２の位置が「上流側」であり、第１の電極からより離れた流動内の第３の位置が「下流側」である。したがって、第１の電極は、第２の電極の上流側に配置され、第２の電極は、第１の電極の下流側に配置されるが基質の上流側に配置される。
【００２４】
「液体を霧化する」という語句は、液体が少なくとも部分的にガス状態の（微小）液滴、例えば蒸気又はヘイズ又は霧等に転換されることを示す。霧化した液体は、本明細書において、「ヘイズ」と呼ばれる。液体霧化器は、液体を霧化することができる、すなわちガス状態の液滴を提供することができる装置又はデバイスに関連する。霧化器の例は、例えば、液体を沸騰させるための装置、又は超音波ヘイズ発生器、（高）圧力霧化器、エレクトロスプレー等である。「液体霧化器」という用語は、一実施形態において、複数の液体霧化器を示し得る。
【００２５】
ヘイズは、ガス状流体の溶媒である。これは、ガス状流体の少なくとも一部がヘイズの液滴に溶解し得ることを示し得る。一例は、水滴に溶解し得るアンモニアガスであってもよい。ガス状流体の別の例は、アセトン（Ｃ３Ｈ６Ｏ）、酸化二窒素（Ｎ２Ｏ）、硫化水素（Ｈ２Ｓ）、エチレン（Ｃ２Ｈ４）、蛍石（Ｆ２）又は塩素（Ｃｌ２）であってもよい。他のガス状流体は、ガス状炭化水素を含み得る。減少させるガス状流体に応じて、その他の液体もまた適用可能である。例えば、液体は、水、アルコール及びアセトンを含む群から選択され得る。アセトンは、例えば炭化水素（アセトン以外）を除去する場合に提供され得る。これは特に、閉鎖型ユニットにおいて適用され得る（以下も参照）。ガス状流体は、一般に純粋なガスではなく、一般に空気等の別のガス中に存在する。
【００２６】
特定の実施形態において、基質は布である。さらに、基質は、層状の布、又は（金属）網であってもよい。一実施形態において、基質はまた、ガス透過性である。これは、ガス状流体及び／又は空気の少なくとも一部もまた基質を通して移動し得ることを意味する。これにより、ガス状流体及び空気の円滑な流動がさらに促進され得る。
【００２７】
特に、基質は、空気透過性であってもよく、すなわち、基質は、空気及び／又はガス状流体がそれを通って移動し得る開口又はメッシュを備えてもよい。「空気透過性」という用語は、特に、空気が基質を通過することができ、特に、ガス状流体の少なくとも一部が開口又はメッシュを貫通することができることを示す。このように、ヘイズは、第１の電極から第２の電極への方向に方向付けられ、第２の電極を「通過」し、第２の電極の下流側に配置された基質で回収され得る。基質は、第２の電極の寸法と類似した寸法（例えば長さ、幅又は直径）、例えば、０．０１〜１０００ｍｍ、例えば０．０１〜５００ｍｍ、例えば０．１〜１０００ｍｍ、特に少なくとも１ｍｍ、例えば１〜５００ｍｍ、なかでも特に１〜１００ｍｍ、例えば５〜１００ｍｍの範囲の寸法を有する開口を有してもよいが、好ましくは、寸法はより小さく、例えば０．０１〜５００ｍｍ、例えば０．０１〜２００ｍｍ、例えば０．１〜２００、例えば０．１〜１００ｍｍの範囲である。
【００２８】
特定の実施形態において、基質は、補助湿潤器により少なくとも一時的に液体で、好ましくは霧化するために使用されるのと同じ液体で湿潤される。このように、基質を湿潤状態に維持することができ、これによりヘイズ液滴の捕捉が改善され得る。「補助湿潤器」又は短縮して「湿潤器」という用語は、基質（すなわち基質の少なくとも一部）を湿らせるために配置され、同じく基質を湿らせ得る液体ヘイズを提供するために使用される霧化器とは異なるデバイスを示すように使用される。一実施形態において、方法は、基質に形成された（堆積した）液体を回収するステップと、回収された液体を除去するステップとをさらに含む。
【００２９】
さらなる態様において、本発明は、ガス状流体を除去するための配置であって、
ａ．コロナ放電を生成するように配置された第１の電極、及び複数の導電性糸で作製されたヘイズ透過性の電気伝導性篩を備える第２の電極と、
ｂ．液体を霧化して、第１の電極と第２の電極との間に液体ヘイズを提供するように配置された液体霧化器と、
ｃ．第１の電極に対して、第２の電極の背後に配置された基質と
を備える配置を提供する。
【００３０】
そのような配置は、納屋、家畜小屋、豚小屋、囲い、又は養鶏場等の収容設備内に配置され得るが、そのような配置はまた、空気の処理のために、収容設備内の空気とガス接触するように配置され得る別個のユニット内に含まれてもよい。したがって、一実施形態において、配置は、ガス状流体をユニットに進入させるように配置された入口と、ガス及び液体の１又は２以上をユニットから逃がすように配置された出口とを有するユニット内に含まれる。配置は、ガス状流体をユニットに吹き込むように配置された送風器の１又は２以上と、ガス流体をユニット内に送り込むように配置されたポンプとをさらに備えてもよい。当業者には明らかなように、１若しくは２以上の送風器及び／又は１若しくは２以上のポンプが適用されてもよい。「処理」という用語は、除去のための方法を示す。
【００３１】
特定の実施形態において、配置は、基質を湿潤させるように配置された補助湿潤器をさらに備える。
【００３２】
上述したように、第１の電極は、好ましくは、複数の導電性針を備える。一実施形態において、複数の導電性針は、第２の電極の方向に向くように配置される。ヘイズ透過性の電気伝導性篩は、一実施形態において、導電性細目金網である。
【００３３】
第１の電極及び第２の電極は、例えば０．０５〜５００ｍ、例えば２〜２５ｍ等の範囲のゼロ以外の距離をおいて配置される。
【００３４】
さらなる態様において、本発明は、当該配置を備える、特に動物用の収容設備を提供する。配置は、収容設備内に含まれてもよく、又は、例えば、収容設備内のＮＨ３を含む空気等のガス状流体を含むガスを処理するように配置された別個のユニット等、収容設備とガス接触しているが収容設備の外に配置されてもよい。一実施形態において、収容設備は、納屋、家畜小屋、豚小屋、囲い、及び養鶏場からなる群から選択され得る。或いは、収容設備は、例えば、研究所、工場及びホスピタリティエリアからなる群から選択され得る。
【００３５】
さらに有利には、粉塵／小粒子の数も低減されると思われる。したがって、本発明の方法及び配置はまた、ガス状流体及び小粒子を同時に低減する（減少させる）ために使用することができる。
【００３６】
ここで、例示のみを目的として、添付の概略図を参照しながら本発明の実施形態を説明するが、図中、対応する参照記号は対応する部分を示す。
【図面の簡単な説明】
【００３７】
【図１ａ−１ｂ】本発明のいくつかの実施形態を示す概略図である。
【図２ａ−２ｄ】第１及び第２の電極のいくつかの変形例を示す概略図である。
【図３ａ−３ｂ】基質のいくつかの変形例を示す概略図である。
【図４ａ−４ｃ】方法のいくつかの原理を示す概略図である。
【図５】配置が動物収容設備の外にある本発明の実施形態を示す概略図である。
【発明を実施するための形態】
【００３８】
図面は、縮尺通りであるとは限らない。本発明は、動物の存在に限定されず、また描かれる特定の動物に限定されない。
【００３９】
図１ａ及び１ｂは、配置１０を備える、牛等の動物１用の収容設備１００を概略的に示す。収容設備は、例えば、納屋、家畜小屋、豚小屋、囲い、及び養鶏場からなる群から選択される。しかしながら、本発明の方法は、そのような収容設備に限定されない。
【００４０】
配置１０は、ガス状流体を除去するために使用される。これは、完全除去又は部分的除去であってもよい。除去は、バッチ式又は連続式プロセスで実行され得る。例えば、本発明の方法（下記も参照）は、ガス状流体の所定の閾値を超えた場合に適用され得る。ガス状流体は、参照番号２０で示され、一般に空気の構成成分である。例えば、空気は、ガス状流体２０としてアンモニアを含み得る。
【００４１】
配置１０は、コロナ放電を生成するように配置された第１の電極１１０、及び複数の導電性糸で作製されたヘイズ透過性の電気伝導性篩を備える第２の電極１２０を備える（下記参照）。配置１０は、液体を霧化して、第１の電極と第２の電極との間に液体ヘイズ１６０を提供するように配置された液体霧化器１５０をさらに備える。配置１０は、第１の電極１１０に対して、第２の電極１２０の背後に配置された基質１３０をさらに備える。
【００４２】
収容設備１００は、配置１０が配置される、参照番号１０１で示される内部空間を有する。さらに、１又は２以上の動物１、例えば１又は２以上の牛が、収容設備１００内に存在し得る。動物による排泄及び糞便の排出には、アンモニアの発生が伴う。アンモニア等の望ましくないガス状流体の存在は、参照番号２０で示されている。第１の電極１１０及び第２の電極１２０は、例えば０．０５〜５００ｍ、例えば２〜５００ｍ、例えば特に２〜２００ｍの範囲、特に約２〜５０ｍの範囲、なかでも特に約５〜２５ｍの範囲のゼロ以外の距離Ｌ１をおいて配置される。１つの第１の電極１１０及び複数の第２の電極１２０、複数の第１の電極１１０及び複数の第２の電極１２０、並びに複数の第１の電極１１０及び複数の第２の電極１２０が存在してもよいことに留意されたい。
【００４３】
ここで、第１の電極１１０は、特に、先端１１６を有する複数の針１１５を備えてもよい。先端１１６は、好ましくは、第２の電極１２０に方向付けられている。したがって、第１の電極１１０は、複数の導電性針１１５を備え、好ましくは、複数の導電性針は、第２の電極１２０の方向に向くように配置される。
【００４４】
好ましくは、電極１１０、１２０は、それらが効果的に内部空間１０１にわたるように配置される。液体霧化器１５０は、液滴のヘイズ１６０を提供する。ガス状流体は、少なくとも部分的に液滴に溶解し得る。このように、ガス状流体は、すでに少なくとも部分的に中和され得る。しかしながら、参照番号３０で示される電場の存在により、液滴は、特定の方向に方向付けられる。ここで、正に帯電した電極でのコロナ放電が、液滴すなわちヘイズ１６０を、第２の電極１２０の方向に動かす。第２の電極１２０は、負に帯電しているか、又は接地されていてもよい。
【００４５】
第２の電極１２０が透過性であるため、ヘイズ１６０の少なくとも一部は第２の電極１２０を通って移動することができ、基質１３０と接触することができる。基質１３０は、特に、ヘイズ１６０中の液滴の実質的部分を収集するように配置される。したがって、液体は基質１３０に凝縮し、溝１４０内等の底部に落下し得る。回収された液体は、例えば、ガス状流体成分を分離するために、例えば液体からアンモニアを分離するために処理されてもよく、その後液体は再利用されてもよく、ガス状流体もまた再利用されてもよい。例えば、アンモニアは、肥料生成に使用されてもよい。
【００４６】
図１ｂは、収容設備１００がいくつかの部分に分割され、複数の配置１０が収容設備１００の内部空間１０１内に配置された一実施形態を概略的に示す。
【００４７】
ヘイズの液滴、特に水滴は、一般に、約０．０１μｍ〜３ｍｍ、なかでも特に約０．１μｍ〜３ｍｍ、例えば０．１μｍ〜１ｍｍ、例えば少なくとも約０．１ｍｍのオーダーである。本明細書において、導電性という用語は、当技術分野において公知であるが、特に約１．１０−９Ω．ｍ（２０℃）以下の抵抗率を指す。
【００４８】
また、図２ａ〜２ｄを参照すると、本発明のいくつかの原理がさらに明確となる。
【００４９】
特定の実施形態において、特にコロナ放電を生成するように配置され、特に約０．１〜１００ｋＶ／ｍの範囲の電場を生成するように配置された第１の電極１１０と、導電性ワイヤを備える、ここでは特に導電性細目金網１２５を備える第２の電極１２０との間に、電場が印加される。一実施形態において、第２の電極は、（図示されるように）接地されている（１２１）。しかしながら、別の実施形態において、第２の電極１２０は、絶縁されていてもよく、中性又は負に帯電していてもよい。特に、そのような実施形態において、第１の電極１１０及び第２の電極１２０は、概略図１ａ（及び１ｂ；左の変形例）に示されるように、電気的に接続される。
【００５０】
一般に、第２の電極１２０は、複数の導電性糸２０１で作製されたヘイズ透過性の電気伝導性篩２００（本明細書においては「篩」とも呼ばれる）を備える（図２ｂも参照）。当業者には明らかなように、「導電性篩２００」及び「導電性糸２０１」という用語は、それぞれ、電気伝導性篩２００及び電気伝導性糸を指す。
【００５１】
これは、特に、導電性ワイヤ、導電性棒、導電性網等を問わず、複数の導電性糸２０１であって、規則的又は不規則に（又はそれらを組み合わせて）配置され得る導電性糸２０１は、１Ｄ篩（「櫛」状）、２Ｄ篩（網状）、又は３Ｄ篩（３Ｄ網状又はワイヤの３Ｄフレーム構造）を問わず、空気及び霧を通過させるのに十分広い隣接する導電性糸の間の最短距離を有する（下記も参照）、ある種の篩を形成することを意味する。好ましくは、１Ｄ篩において、糸は、実質的に平行に配置される。２Ｄ篩では、一実施形態において、サブセットの糸は実質的に平行に配置され得るが、サブセットは角度をもって配置され得る。さらに別の実施形態において、２Ｄ篩は、正方形又は長方形のメッシュを提供するように配置される。さらに別の実施形態において、２Ｄ篩は、五角形、六角形、七角形又は八角形、特に六角形のメッシュを提供するように配置される。交差する糸は、結ばれる、又は融合されてもよい。当業者は、異なる網の種類を認識している。３Ｄ網は、３方向であること以外２Ｄ網と類似し得る。
【００５２】
第２の電極１２０、特にヘイズ透過性の電気伝導性篩２００は、一実施形態において、第１の電極１１０に方向付けられるように配置された、複数の糸２０１で形成された実質的に平坦な正面を有するデバイス（１Ｄ篩又は２Ｄ篩等）である。なかでも特に、第１の電極１１０の湾曲した特徴（下記参照）、例えば針は、実質的に第２の電極１２０、なかでも特に、ヘイズ透過性の電気伝導性篩２００の方向に向く。好ましくは、第１の電極１１０の針１１５及び第２の電極１２０は、互いに垂直となるように配置される（いくつかの添付の図面も参照）。
【００５３】
電場３０は、特に静電場である。さらなる実施形態において、電場３０に対し変調が行われてもよい。そのような変調は、オンオフ変調であってもよく、又は、一定値での変調（例えば正弦波変調）であってもよい。しかしながら、変調は、本質的に、電場３０の方向が反転されるような変調ではない。したがって、図１ａ／１ｂを参照すると、一時的に第１の電極１１０は帯電されなくてもよいが、帯電された場合、電荷は特に正電荷である。
【００５４】
別の特定の実施形態において、第１の電極１１０と第２の電極１２０との間の最短距離Ｌ１は、約０．０５〜５００ｍの範囲である。図１ａ及び１ｂにおいて、最短距離は、参照記号Ｌ１で示されている。特に、納屋等の中のそのような構成における第１の電極１１０と第２の電極１２０との間の最短距離は、約２〜１００ｍ、例えば２〜５０ｍ、特に２〜２５ｍ、一実施形態においては５〜２５ｍの範囲であってもよい。
【００５５】
図１ａ／１ｂは、例えば、第２の電極１２０として１つの網１２５を含むが、当業者に明らかなように、複数の網１２５が適用されてもよく、すなわち、配置１００は、複数の第２の電極１２０、特に複数の導電性網１２５を備えてもよい。上述のように、これらの網１２５は、絶縁された様式で配置されてもよい（すなわち接地されていない）。したがって、ヘイズ透過性の電気伝導性篩２００は、ここでは網１２５を備える。概略図は、導電性糸２０１の２Ｄ配置を示している。概略図は、実質的に平行な糸２０１のサブセット、及びそれに垂直な、実質的に平行な糸２０１の別のサブセットを示している。第２の電極１２０として使用され得る、ワイヤ若しくは棒又は網１２５のメーズ等の実質的に平行な糸の間の距離（すなわちｄ２及びｄ３、下記参照）は、特に、０．０１〜１０００ｍｍ、例えば約０．１〜５００ｍｍ、例えば１〜１００ｍｍの範囲であってもよい。
【００５６】
特定の実施形態において、第１の電極１１０は、複数の電極、例えば複数の電気伝導性針を備え、複数の電極は、コロナ放電を生成するように配置される。図２ａにおいて、複数の電極は、参照番号１１０ａ、１１０ｂ、１１０ｃ等で概略的に示されている。
【００５７】
好ましい実施形態において、第１の電極１１０は、例えば約０．１μｍ〜０．５ｍｍの範囲の１又は２以上の寸法を有する、１又は２以上の導電性の湾曲した特徴又は導電性針（参照番号１１５で示されている）を備える。湾曲した特徴は、例えば、特に上に定義された寸法を有する、ワイヤ、ワイヤメッシュ、アンテナ又は針を含み得る。特に、針状の特徴が適用される。本明細書において、導電性針は、さらに針と呼ばれる。針は、特に、約５〜２０００（すなわち長さ／（平均厚又は平均直径））、特に１０〜２０００、なかでも特に２０〜２０００の範囲の平均アスペクト比（平均：すなわち針の長さにわたる平均）を有する導電性の突起又はピンである。したがって、特定の実施形態において、第１の電極１１０は、１又は２以上の、特に複数の、例えば４〜１０，０００個の湾曲した特徴１１５、特に針を備える。湾曲した特徴１１５、特に針は、約０．１μｍ〜０．５ｍｍ、特に１μｍ〜０．５ｍｍ、なかでも特に１０μｍ〜０．５ｍｍ、なかでも特に１００μｍ〜０．５ｍｍ、例えば１０μｍ〜０．１ｍｍの範囲の、１又は２以上の寸法、すなわち特に厚さを有してもよい。したがって、第１の電極１１０は、特に、鋭い点又は針を備える。一般に、針が鋭い程良好である。
【００５８】
図中、湾曲した特徴１１５は、（鋭い）針として示されているが、ワイヤ（任意選択でケーブルを含む）、細目金網等が使用されてもよい。湾曲した特徴が、約０．１μｍ〜０．５ｍｍの範囲の１又は２以上の寸法を有するのが好ましく、この寸法はコロナ放電を可能とする。図２ａにおいて、寸法ｄ１（ここでは厚さ又は直径）を有する湾曲した特徴１１５が示されている。ここで、１又は２以上の寸法は、直径又は厚さであってもよい。そのような湾曲した特徴１１５の長さ（例えば針の長さ、すなわち長手方向の長さ）は、特に、約０．５ｍｍ〜１００ｃｍの範囲、特に約５ｍｍ〜５０ｃｍの範囲であってもよい。そのような湾曲した特徴１１５は、１４０°以下、特に９０°以下、なかでも特に５０°以下の角度を有してもよい。これらの角度は、図２ａの概略的実施形態において、参照記号αで示されている。特に好ましい角度αは、約５〜１４０°の範囲、なかでも特に約５〜９０°の範囲、なかでも特に約５〜５０°の範囲、又はさらにより小さい角度である。湾曲した特徴１１５の先端、ここでは特に針の先端は、参照番号１１６で示されている。
【００５９】
したがって、図はまた、第１の電極１１０が複数の導電性針を備える配置１００の一実施形態を概略的に示す。特に、複数の導電性針は、第２の電極１２０の方向に向くように配置される（例えば図１ａ及び１ｂに示されるように）。
【００６０】
このように、一種の電気風が生成され得る。この「電気風」は、特に、第２の電極１２０の方向に方向付けられる。したがって、接地されているとしても、電気風は、第２の電極１２０に方向付けられ得る。第２の電極１２０は、特に、基質１３０への液滴のさらなる伝播を可能とする電極である。したがって、第２の電極１２０は、特に、一実施形態においてワイヤであり、なかでも特に、１Ｄラスタのように実質的に平行に配置された複数のワイヤ若しくは棒、又は網１２５として配置された複数のワイヤ若しくは棒である（これは２Ｄラスタとして示され得る）。
【００６１】
上述のように、「電気風」は、特に、第２の電極１２０の方向に方向付けられる。したがって、特定の実施形態において、第１の電極１１０及び第２の電極１２０は、第２の電極１２０の方向に電気風を生成するように配置される。なかでも、これは、特にマイナス電荷を有する絶縁された第２の電極１２０を提供することにより行うことができる（配置１００の使用中）。さらに、これはまた、湾曲した特徴１１５、特に針を、第２の電極１２０の方向に方向付けることにより行うことができる。
【００６２】
本明細書において、「ワイヤ」又は「導電性ワイヤ」という用語はまた、一実施形態において、それぞれ「ケーブル」又は「導電性ケーブル」に関連し得る。
【００６３】
特定の実施形態において、電気伝導性でヘイズ透過性の電気伝導性篩２００、例えば一実施形態において細目金網１２５は、約０．０１〜１０００ｍｍ、例えば好ましくは０．１〜１０００ｍｍの範囲、特に約０．１〜５００ｍｍ、なかでも特に１ｍｍから１００ｍｍの範囲の、１又は２以上の寸法（例えば長さ、幅又は直径）を有するメッシュを備える。これらの寸法により、流体２０が篩２００を通過し、液滴が導電性糸２０１に蓄積し得る。寸法は図２ｂに概略的に示されているが、ｄ２及びｄ３は、参照番号１２６、網１２５で示される、隣り合う（すなわち隣接する）ワイヤの間の距離（すなわち長さ及び幅）を示す。さらに別の実施形態において、第２の電極１２０は、実質的に平行に配置された複数の導電性ワイヤ（ケーブルを含む）を備え、ワイヤ間の距離は、約０．０１〜１０００ｍｍ、例えば０．１〜１０００ｍｍの範囲、特に約０．１〜５００ｍｍ（なかでも特に１ｍｍ〜１００ｍｍ）の範囲である。本明細書において、「複数のワイヤ」という用語は、特に、約４〜５００本のそのようなワイヤに関連する。そのような網１２５又は複数のワイヤは、液滴を効果的に捕捉し、ガス状流体２０から液滴を排除することができる。
【００６４】
したがって、第２の電極１２０が複数のワイヤを備える特定の実施形態において、実質的に平行に配置されるか、又は細目金網として配置されるかを問わず、２つの隣接する実質的に平行に配置されたワイヤの間の最長距離は、好ましくは０．０１〜１０００ｍｍ、特に０．１〜１０００ｍｍの範囲、特に約０．５〜５００ｍｍ、例えば特に約１〜５００ｍｍ、例えば特に約５〜１００ｍｍの範囲である。
【００６５】
したがって、第２の電極は、導電性糸を備え、隣接する（実質的に平行に配置された）糸の間の最短距離は、０．０１〜１０００ｍｍ、特に０．０１〜５００ｍｍ、なかでも特に０．１〜１０００ｍｍ、例えば１〜５００ｍｍ、又は１〜１００ｍｍ、好ましくは５〜１００ｍｍである。
【００６６】
１Ｄ篩においては、最短距離は、例えば図２ｂ及び２ｃにおいてｄ３で示される２つの隣接する糸２０１の間の最短距離であってもよい。図２ｂに示されるような２Ｄ篩においては、最短距離は直径であってもよいが、長さ及び／又は幅、すなわちそれぞれｄ２及びｄ３であってもよい。好ましくは、これらの距離の少なくとも１つは、隣接する導電性糸の間の最短距離が約０．０１〜５００ｍｍであるという条件を満たす。他の距離もまたこの条件を満たす必要はないが、好ましい実施形態においては他の距離もまたこの条件を満たす。同様に、３Ｄ篩（図示せず）においては、最短距離は直径であってもよいが、長さ及び／又は幅及び／又は深さであってもよい。好ましくは、これらの距離の少なくとも１つは、隣接する導電性糸の間の最短距離が約０．０１〜１０００ｍｍであるという条件を満たす。他の距離もまたこの条件を満たす必要はないが、好ましい実施形態においては他の距離もまたこの条件を満たす。距離ｄ１及びｄ２等は、特に、実質的に平行に配置された糸２０１の間の最短距離である。
【００６７】
メッシュが存在するシステム、例えば２Ｄ網等において、そのようなメッシュは任意の形状を有してもよく、そのようなシステムにおいて、隣接する糸の間の最短長として、メッシュ直径が選択されてもよい。
【００６８】
参照符号ｄ４で示される導電性糸２０１の寸法は、導電性糸２０１の種類に応じて、直径、又は平均直径、又は幅（複数可）であり得るが、好ましくは約０．０５〜５０ｍｍ、特に約１〜２０ｍｍの範囲である。
【００６９】
一実施形態において、図示されていないが、ヘイズ透過性の電気伝導性篩は、実質的に平行に配置された複数の電気伝導性板を備える。この場合も、これは１Ｄ配置又は２Ｄ配置であってもよい。第２の電極１２０として使用され得る、実質的に平行な板、又は「板状」網１２５のメイズ（maze）の間の距離（すなわちｄ２及びｄ３）は、特に、０．０１〜１０００ｍｍの間、例えば約０．１〜１０００ｍｍであってもよい。ここで、複数の糸を使用することにより本発明をさらに説明する。
【００７０】
図２ｃは、一種のフェンスとして配置された導電性糸２０１の１Ｄ（アレイ）を、篩２００として概略的に示す。メッシュは、参照記号ｄ３で示されている。メッシュは、篩２００にわたって変動し得る。図２ｄは、第２の電極１２０がない場合（例えば図２ｄ）又はある場合（２ｅ）の電場３０を概略的に示す。特に、（正に）帯電した第１の電極１１０及び対極（第２の電極１２０）を使用する場合、本発明の利点が達成され得る。
【００７１】
好ましくは、針（又は導電性の物体を含有するその他の鋭い特徴）及び第２の電極、ひいては特にヘイズ透過性の電気伝導性篩２００は、（複数の）電極が第２の電極１２０の方向に向くように、垂直に配置される。
【００７２】
図３ａ及び３ｂは、基質１３０の実施形態を概略的に示す。例えば、図１ａにおいて、基質１３０は、少なくともその一部が液体１３３を含む液体貯蔵容器１３２内に配置された布１３１を備えてもよい。この構成により、液体１３３は、基質１３０の少なくとも一部を湿潤し得る。基質１３０が湿潤していることは、基質１３０から落下する液滴１３４により概略的に示されている。したがって、特定の実施形態において、基質１３０は、本発明の方法の使用中に湿潤するように配置される。湿潤表面は、ヘイズ１６０の液滴の回収を促進し得る。当業者に明らかなように、布の代わりに、別の基質もまた適用され得る。布１３１の利点は、少なくとも部分的に、ガス状流体を含む空気又は他のガスを透過し得るという点であり得る。さらに、この湿潤法の代わりに、他の湿潤法もまた適用され得る。湿潤器、ここでは液体１３３で満たした液体貯蔵容器１３２は、参照番号１３７で示されている。
【００７３】
図３ｂは別の実施形態を概略的に示しており、基質は、参照番号１３５で示される一種の篩である。篩の上に、１又は２以上の湿潤器１３７、例えばシャワー又はスプリンクラーが提供され、参照番号１３５で示されている。
【００７４】
基質１３０は、ガス状流体、例えばアンモニア（空気中）を透過し得る。例えば、基質１３０は、複数の（実質的に平行に）配置された糸、ワイヤ又は板を備えてもよい。この場合も、これは１Ｄ配置又は２Ｄ配置であってもよい。実質的に平行な板の間の距離（すなわちｄ１２及びｄ１３）は、特に、０．０１〜５００ｍｍ、例えば約０．１〜１００ｍｍであってもよい。
【００７５】
該当する場合は、ｄ２、ｄ３、ｄ１２、ｄ１３で示される寸法はまた、直径に関連してもよい。したがって、これらの寸法はまた、有効直径と解釈され得る。
【００７６】
さらに、第２の電極１２０の存在により、流体、又は少なくともその中の帯電液滴は、第２の電極１２０の方向に移動するため、第２の電極１２０はまた、指向性電極として使用され得る。したがって、流体もまた第２の電極１２０を貫通することができ、例えば、帯電液滴を受容するように配置された基質１３０により受容され得る。そのような基質１３０は、回収器を備える板であってもよい。その例は、図４ａに概略的に示され、電気風は、第２の電極１２０を通して吹くことができる。液滴の一部は、第２の電極１２０に蓄積し得るが、その一部もまた第２の電極１２０を貫通して、例えば、ここでは溝の形態の回収器１４０を備える基質１３０に蓄積され得る。
【００７７】
このように、基質１３０は、特に、重力を利用してヘイズから液滴を回収するように配置され得る。液滴は、ワイヤ等の基質に凝集又は凝縮することができ、及び重力により落下でき、回収器１４０が液滴を回収する。回収器１４０は、例えば、溝又は排水管であってもよい。
【００７８】
図４ｂは、第１及び第２の電極１１０、１２０の好ましい配置を概略的に示す。第１の電極１１０は、湾曲した特徴１１５として複数の針を備える。「湾曲した特徴」は、先端として鋭い端部を有し得ることに留意されたい。「湾曲した特徴」という用語は、特に、楔又は針の場合のように、表面が互いに融合して先端を形成することを示し得る。特に、針が好ましい。そのような針は、好ましくは第２の電極１２０の方向に向く、長手方向軸又は「針軸」を備えてもよい。図４ｂにおいて、長手方向軸は、参照番号１７５で示されている。この長手方向軸１７５に対して、先端１１６の方向に、円錐角θを有する仮想円錐を想定することができる。仮想円錐は、長手方向軸１７５に対して角度θを有する表面を提供することにより想定されるが、対称円錐は開放角２θを有する。ここで、「先端１１６が第２の電極１２０の方向に配列するように、湾曲した特徴（又は針）１１５を配置する」という語句、及びそれと同様の語句は、特に、第２の電極１２０の少なくとも一部が、針の少なくとも１つのこの仮想円錐内に配置されることを示す。好ましくは、特に複数の針の場合、円錐角θは３０°、より好ましくは２０°、より好ましくは１０°、さらにより好ましくは５°である。これは、１０°の円錐角を有する仮想円錐内に第２の電極が見い出されることを意味する。第２の電極１２０が第１の電極１１０に正確に対面して配置される場合、長手方向軸１７５は、第２の電極を「妨害」する。図４ｂは、第２の電極、特に電気伝導性の空気透過性篩２００に対する複数の針の「垂直な」配置を示す。
【００７９】
単一の針の場合、θはより大きくてもよいが、好ましくは９０°未満である。
【００８０】
或いは、図４ｃを参照すると、湾曲した特徴（又は針）針１１５は、第１の電極１１５を始点として第２の電極１２０まで延在する、水平線１７０に対して角度θ１の方向を向いてもよく、この場合も、θ１は、好ましくは０〜３０°、より好ましくは０〜２０°、より好ましくは０〜１０°、さらにより好ましくは０〜５°の範囲である。図４ｃにおいて、角度θ１は０°である。
【００８１】
図５は、収容設備１００の一実施形態の一実施形態を概略的に示しているが、配置１０は収容設備の外側に配置されるか、又は、少なくとも、ガス状流体２０の源、ここでは動物（複数可）１が位置する部分の外部に配置される。配置１０は、ガス状流体を含むガスを受容するように配置された入口１７１を有するユニット１１に含まれてもよい。収容設備１００及びユニット１１は、ガス状流体を、入口１７１から、配置１０を含むユニットに進入させるように配置される。さらに、収容設備及び／又はユニットは、１若しくは２以上のポンプ１８１、及び／又は１若しくは２以上の通気孔１８０をさらに備えてもよい。例として、通気孔１８１及び２つのポンプ１８１を備える変形例が示されているが、原則として、これらの１若しくは２以上、又は追加の通気孔若しくはポンプが存在してもよい。通気孔は、（入口１７１から）ガス状流体を含むガスの少なくとも一部をユニット１１内に吹き込むように配置することができ、ポンプ１８１は、ガス状流体２０を含むガスをユニット内に送り込むように配置することができ、ポンプ１８１は、排出孔１７２からユニット１１の外にガスを送り出すように配置することができる。また、後者の変形例において、そのようなポンプは、入口１７１からガスをユニット１１内に送り込むために使用され得る。
【００８２】
上述のように、ユニット１１は、ガス（任意選択で液滴を含む）及び任意選択で液体ヘイズからの液体を排出し得る、排出孔１７２を有してもよい。液体はまた、別個に排出されてもよく、これは排出孔１７３で概略的に示されているが、排出孔１７３は、特に、（液体ヘイズからの）液体を、及び任意選択でガス状流体からの液体溶解流体中の液体を逃がすように配置され得る。一般に、ユニット１１は、少なくとも１つの入口１７１及び少なくとも１つの出口を有し、その間に配置１０が配置される。
【００８３】
ユニット１１内の第１の電極と第２の電極との間の最短距離Ｌ１は、収容設備１００内の場合より小さくてもよく、例えば、０．０５〜５ｍ、例えば０．０５〜２ｍ、例えば０．１〜１ｍの範囲であってもよい。
【００８４】
上述又は添付の図面に概略的に示された構成以外の構成もまた可能となり得る。
【００８５】
本発明の別の実施形態において、基質は、非導電性材料で作製され、第１の電極と第２の電極との間に、より具体的には第２の電極とヘイズ発生器との間に位置する。この実施形態において、液滴は、第２の電極に到達する前に基質に蓄積する。したがって、基質は、特に、ヘイズから液滴を回収するように鉛直又は傾斜して配置され得る。液滴は、ワイヤ等の基質に凝集又は凝縮することができ、重力により落下し、回収器が液滴を回収する。好ましくは、この実施形態において、非導電性基質は、篩、すなわちここでは非導電性材料の篩を備える。この篩の寸法、例えば糸の間の距離は、ヘイズ透過性の電気伝導性篩に関して上述した実施形態と同一であってもよい。
【００８６】
別の実施形態において、基質は、低温表面を有する。本発明の別の実施形態において、基質は、低温表面を有するデバイスで置き換えられる。この文脈における低温とは、収容設備内の空気の露点（１００％相対湿度）又は凝縮点付近（±５℃、より具体的には±２℃）である温度を意味する。しかしながら、低温表面の温度は、好ましくは０℃を超える。例えば、本明細書において、低温は、０℃を超えるが１５℃以下、例えば１０℃以下、例えば５℃以下である温度を示し得る。液滴は低温表面で凝縮し、重力により、低温表面の下に位置する回収器内等に落下する。
【００８７】
本発明の別の実施形態において、第２の電極が低温表面を提供するように配置される。この実施形態において、液滴は、第２の電極の表面に凝縮し得る。したがって、特定の態様において、本発明はまた、ガス状流体を除去するための配置であって、（ａ）コロナ放電を生成するように配置された第１の電極、及び複数の導電性糸で作製されたヘイズ透過性の電気伝導性篩を備える第２の電極と、（ｂ）液体を霧化して、第１の電極と第２の電極との間に液体ヘイズを提供するように配置された液体霧化器とを備え、第２の電極が低温電極表面（すなわち、特に（上述のような）低温である導電性糸）提供するように構成される配置を提供する。したがって、別の態様において、本発明はまた、ガス状流体を除去する方法であって、（ａ）コロナ放電を生成するように配置された第１の電極と、複数の導電性糸で作製されたヘイズ透過性の電気伝導性篩を備える第２の電極との間に電場を印加するステップと、（ｂ）液体を霧化して、第１の電極と第２の電極との間に液体ヘイズを提供するステップであって、液体がガス状流体の溶媒であり、第２の電極が低温電極表面を有する、ステップとを含む方法を提供する。
【実施例１】
【００８８】
多数の豚を収容する家畜小屋の屋根換気システムからの空気を、可撓管を介して１ｍ×１ｍ×１．５ｍの箱に導入した。箱は、鋭い先端を有する導電性パネルを含有し、この先端に２０ｋＶの正電圧を印加した。このようにして先端にコロナ放電を発生させ、これによりガスが先端から離れて流動する。このいわゆる電気風は１ｃｍの網サイズを有する網に方向付けられ、その後ろに湿潤布が配置される。
【００８９】
３つのヘイズ発生器が、超音波を使用して微小水滴のヘイズを生成する。このヘイズを箱に供給する。ヘイズ液滴はアンモニアの一部を捕捉し、これにより液滴中で水酸化アンモニアが生じる可能性があり、これが湿潤布に移動させられる。水酸化アンモニウムの一部は、網上に堆積することができ、湿潤布により一部が吸収される。湿潤布は、飽和するか又は飽和させられ、貯蔵容器に液滴が落下する。
【００９０】
ドレーゲル管を適用して、家畜小屋内のアンモニア濃度を測定した。濃度は検出点を下回っていたが、これは、アンモニア含量が低いことを示している。
【００９１】
本発明の特別な実施形態を以下に要約する。
１．ガス状流体を除去する方法であって、
ａ．コロナ放電を生成するように配置された第１の電極と、複数の導電性糸で作製されたヘイズ透過性の電気伝導性篩を備える第２の電極との間に電場を印加するステップと、
ｂ．液体を霧化して、第１の電極と第２の電極との間に液体ヘイズを提供するステップであって、液体がガス状流体の溶媒である、ステップと、
ｃ．第１の電極に対して、第２の電極の背後に基質を配置するステップと
を含む方法。
２．ガス状流体がアンモニア（ＮＨ３）であり、液体が水である、除去方法の実施形態１に記載の方法。
３．基質が布である、除去方法の実施形態１又は２に記載の方法。
４．基質が、補助湿潤器により少なくとも一時的に液体で湿潤される、除去方法の実施形態１〜３のいずれかに記載の方法。
５．基質に形成された液体を回収するステップと、回収された液体を除去するステップとをさらに含む、除去方法の実施形態１〜４のいずれかに記載の方法。
６．ガス状流体を除去するための配置であって、
ａ．コロナ放電を生成するように配置された第１の電極、及び複数の導電性糸で作製されたヘイズ透過性の電気伝導性篩を備える第２の電極と、
ｂ．液体を霧化して、第１の電極と第２の電極との間に液体ヘイズを提供するように配置された液体霧化器と、
ｃ．第１の電極に対して、第２の電極の背後に配置された基質と
を備える配置。
７．基質を湿潤させるように配置された補助湿潤器をさらに備える、配置の実施形態６に記載の配置。
８．ガス状流体をユニットに進入させるように配置された入口と、ガス及び液体の１又は２以上をユニットから逃がすように配置された出口とを有するユニット内に含まれる、配置の実施形態６又は７に記載の配置。
９．ガス状流体をユニットに吹き込むように配置された送風器の１又は２以上と、ガス状流体をユニット内に送り込むように配置されたポンプとをさらに備える、配置の実施形態８に記載の配置。
１０．第１の電極が、複数の導電性針を備える、配置の実施形態８又は９に記載の配置。
１１．複数の導電性針が、第２の電極の方向に向くように配置された、配置の実施形態１０に記載の配置。
１２．ヘイズ透過性の電気伝導性篩が、導電性細目金網である、配置の実施形態６〜１１のいずれかに記載の配置。
１３．配置の実施形態６〜１２のいずれかに記載の配置を備える、動物収容設備。
１４．納屋、家畜小屋、豚小屋、囲い、及び養鶏場からなる群から選択される、配置の実施形態１３に記載の収容設備。
【００９２】
上述の実施形態は、本発明を例示するものであって制限するものではないこと、及び、当業者は、多くの代替の実施形態を、添付の特許請求の範囲から逸脱せずに設計し得ることに留意されたい。特許請求の範囲において、括弧内に示された参照記号は、特許請求の範囲を制限すると解釈されないものとする。「備える」という動詞及びその活用形の使用は、請求項内に記載される要素又はステップ以外の要素又はステップの存在を除外しない。要素の前に付される冠詞「ａ」又は「ａｎ」は、複数の当該要素の存在を除外しない。本発明は、いくつかの異なる要素を備えるハードウェアを用いて、また好適にプログラムされたコンピュータを用いて実行され得る。いくつかの手段を列挙したデバイスの請求項において、これらの手段のいくつかは、ハードウェアの同一の品目により具現化され得る。互いに異なる従属請求項においてある特定の対策が列挙されるだけでは、これらの対策の組合せが有利に使用され得ないということにはならない。本明細書において、「約」という用語は、特に数に関する実施形態において、示された値の＋１０％及び−１０％の範囲内、特に、示された値の＋５％及び−５％の範囲内、特に、示された値の＋２％及び−２％の範囲内の値に関連する。したがって、約１００ｋＶの値は、１００．０ｋＶを示し得るが、９０〜１１０ｋＶの範囲内であってもよい。これはまた、その前に「約」という語が付されていない数値に対しても適用され得る。当業者に明らかなように、若干の偏差は許容され得る。
【図１ａ】
2012533425.tif 000003
【図１ｂ】
2012533425.tif 000004
【図２ａ】
2012533425.tif 000005
【図２ｂ】
2012533425.tif 000006
【図２ｃ】
2012533425.tif 000007
【図２ｄ】
2012533425.tif 000008
【図３ａ】
2012533425.tif 000009
【図３ｂ】
2012533425.tif 000010
【図４ａ】
2012533425.tif 000011
【図４ｂ】
2012533425.tif 000012
【図４ｃ】
2012533425.tif 000013
【図５】
2012533425.tif 000014
【国際調査報告】
2012533425.tif 000015
2012533425.tif 000016
2012533425.tif 000017